(57)【特許請求の範囲】
【請求項１】
切断すべきワークに沿って摺動可能な摺動面を有する定盤と、切断用の鋸刃及び該鋸刃を駆動するモータを有する切断機本体とを備えた携帯用動力切断機であって、
前記切断機本体は、前記定盤に対して、前記鋸刃が該定盤の外側を通って上下動することが可能で、かつ前記定盤の摺動面の延長面に対して前記鋸刃を直交させた位置と傾斜させた位置に傾動可能な状態で前記定盤に支持されており、
該切断機本体の前記定盤に対する傾動軸線を、前記鋸刃の切り込み方向の面と前記延長面との交線に一致させて、前記切断機本体の傾斜位置に関係なく前記鋸刃の切り込み開始位置を前記傾動軸線上に保持するとともに、
前記定盤の側端部であって前記モータと逆側の端部に、前記鋸刃を前記延長面に対して直交させたときに該鋸刃の側面に側面を一致させた状態で上方に直角に起立する移動ガイドを設け、
該移動ガイドを前記ワークとしての床面に対して直角に位置する壁面に当接させたときに、該移動ガイドの当接面と前記摺動面との交線に前記傾動軸線が設定されて、前記切断機本体の傾斜位置に関係なく前記鋸刃の切り込み開始位置が前記床面と前記壁面との交差部位に保持される携帯用動力切断機。
【請求項２】
請求項１に記載の携帯用動力切断機であって、前記定盤に対する前記切断機本体の取付角度調整手段として、前記定盤と前記切断機本体とのいずれか一方には、前記傾動軸線を中心とする円弧状に形成されたガイド孔が設けられ、他方には該ガイド孔に対して回り止めされた状態で相対移動可能に係合するスライド部材が設けられていることを特徴とする携帯用動力切断機。
【請求項３】
請求項１又は２に記載した携帯用動力切断機であって、
前記モータの回転軸線を前記鋸刃を取り付けた回転軸に対して傾斜させて、前記鋸刃を直角に位置させたときに当該モータのボトム側がヘッド側よりも高くなる方向に傾斜する構成とした携帯用動力切断機。
【請求項４】
請求項１〜３のいずれか１項に記載した携帯用動力切断機であって、前記切断機本体は、前記定盤に取り付けられた鋸刃覆いとしてのブレードケースに対して上下方向移動可能に取り付けられていることを特徴とする携帯用動力切断機。
【発明の詳細な説明】
【０００１】
【発明の属する技術分野】
本発明は、人力で操作する携帯用動力切断機に係り、例えば壁際に沿って床材を切断する、所謂際切り用として好適な携帯用動力切断機に関する。
【０００２】
【従来の技術】
従来、例えば家屋の床材張り替え等のために、定盤に対して鋸刃が直角に配置されている一般的な直角切りの携帯用電動丸鋸を用いて上記の際切り作業を行おうとすると、定盤が邪魔にならないように丸鋸全体を傾けた状態で、鋸刃を壁際の床材に斜めに切り込み、その後、丸鋸全体を壁際に沿って移動させることになる。しかし、このような際切り作業は定盤を床面に接触させた状態で移動するということができないため、極めて不安定な状態での作業となり、現実には殆ど不可能である。
そのため、上記の直角切りの形態用電動丸鋸を改造して際切りを可能にしたものが提案されている。このような携帯用電動丸鋸は、例えば特許公報第２９３３１９６号に記載されている。
上記公報記載の携帯用電動丸鋸は、要するに、丸鋸本体を定盤に対して上下移動調整及び傾斜角度調整可能に取り付け、際切り時にはモータハウジングが定盤に干渉しないように、丸鋸本体を予め定盤の上方へ移動して固定後、鋸刃の切込先端が定盤のモータと逆側の側端よりも外方へはみ出る方向に丸鋸本体を傾けて固定することによって、際切りとして使用できる構成としたものである。
【０００３】
【発明が解決しようとする課題】
しかし、上記公報記載の携帯用電動丸鋸は、鋸刃の傾斜角度調整用の傾動軸線を定盤上に立設されたスタンド部材に設定してあるため、傾斜角度が変ることに伴って鋸刃の切込先端位置が変ってしまう。すなわち、定盤に対する鋸刃の切込開始位置が特定されないため使い勝手が悪いという問題がある。
【０００４】
本発明は、上述した従来の問題点に鑑みてなされたものであり、その目的とするところは、鋸刃の傾斜角度の変更に拘らず、該鋸刃の切込開始位置を一定位置に保持することができる際切り作業用として好適な携帯用動力切断機を提供することにある。
【０００５】
上記課題を達成するため、本発明に係る携帯用動力切断機は、特許請求の範囲の各請求項に記載の通りの構成を備えた。
従って、請求項１に記載の発明によれば、定盤に対して切断機本体を鋸刃が定盤の摺動面に対して直交するようにセットしたときは、通常の直角切りが可能であり、また、鋸刃を下方へ移動したときに、該鋸刃の切込先端が定盤のモータと逆側の側端よりも外方へはみ出る方向となるように傾けてセットしたときは、壁際に沿った床材の切断作業、所謂際切りが可能となる。
この場合、定盤に対する切断機本体の取付角度を、前記定盤の摺動面の延長面と前記鋸刃の切込方向の面との交線を傾動軸線として調整可能としてあるため、取付角度が変っても切断作業時には鋸刃の切込先端が必ず傾動軸線上を通過することになる。すなわち、鋸刃の傾斜角度に拘らず、定盤に対する鋸刃の切込開始位置が一定位置に保持されることになる。従って、切断作業を行うに当たっての位置決めが容易になり、使い勝手が向上する。
【０００６】
また、際切りに際して携帯用丸鋸の位置決め作業に煩わしさがなく、使い勝手が向上する。
なお、請求項１記載の構成において、さらに前記モータは、前記定盤に対して直角状態にあるときの前記鋸刃の切り込み方向に対してヘッド側がボトム側よりも下側となる向きに回転軸線を傾斜した状態で配置した構成とすることができる。この構成によれば、定盤に対して鋸刃が直角状態にあるとき、ヘッド側（出力側）がボトム側よりも下側となるようにモータを傾けて配置したことによって、際切り作業のために切断機本体を定盤側へ傾斜させたとき、定盤に対するモータハウジングの干渉を回避することが可能となる。このため、定盤に対して切断機本体を可及的に接近させた状態での配置が可能となり、全高を抑えてコンパクト化を図ることができる。
【０００７】
また、請求項２の発明によれば、切断機本体の取付角度調整手段として、円弧状のガイド孔と、そのガイド孔に沿って相対移動するスライド部材とを備える構成としたことによって、簡単な構造の取付角度調整手段を提供できる。
請求項３記載の発明によれば、際切りのために鋸刃をその切り込み側が定盤の端部からはみ出る方向に傾斜したときの定盤に対する電動モータの干渉を回避して、所望の際切り作業を行うことができる。
また、請求項４記載の発明によれば、実際に切断作業を行っていないときには、鋸刃をブレードケース内に格納し、実際に切断作業を行うときに、鋸刃の一部をブレードケースから露出させて切断できる。このため、特許第2933196号公報に記載されているような安全カバーを取り付けなくてもよく、機構の簡素化さらには回転軸の長さを短くすることが可能になってブレードケースの幅を狭くすることができるとともに、切断作業に支障のない携帯用動力切断機を提供することができる。
【０００８】
【発明の実施の形態】
以下、本発明の実施の形態を図面に基づいて説明する。本実施の形態に係る携帯用動力切断機は、携帯用電動丸鋸を対象としたものであり、図１は携帯用電動丸鋸の直角切り状態の側面図、図２は同じく正面図、図３は同じく平面図、図４は同じく縦断面図である。また、図５は切断作業のために丸鋸を下降した状態の正面図、図６は際切り時の側断面図、図７及び図８は実際の際切り作業態様を示す断面図である。
【０００９】
図１〜図４に示すように、携帯用電動丸鋸は切断作業時に切断材に載せる略方形板状の定盤１と、電動モータ２により回転する鋸刃３が取り付けられた丸鋸本体４とを備えており、定盤１の上面側に丸鋸本体４が配置されている。なお、丸鋸本体４が本発明の切断機本体に対応する。
定盤１の一方の側端部、すなわち、モータ２と逆側の端部（図１の左側）の前後両端には、図４に示すように、前方に所定長さで張り出した位置から上方に直角に起立する移動ガイド１ａが設けられており、この移動ガイド１ａは際切り作業時において、携帯用電動丸鋸を室内の壁面に沿って真っ直ぐに案内するために該壁面に当接した状態で用いられる。
鋸刃３は左右の移動ガイド１ａ間に配置される。すなわち、定盤１の端部の外側を通って上下動し得るように配置されており、そして、切込面（面方向）が定盤１の摺動面（切断材に載せる下面）に対して直角状態のとき、その側面が前記移動ガイド１ａの側面と一致している（図１及び図４参照）。
【００１０】
定盤１の側端部（図１及び図４の左側）上方には、鋸刃３を覆うための下方を開放したブレードケース５が配置され、そのブレードケース５の定盤１側の上方に前記丸鋸本体４が取り付けられている。ブレードケース５におけるモータ側の壁板５ａの前後両端下部には、モータ側に突出する取付部６が形成され、その取付部６の外面側に設けたスライド部材としての円弧状の突起６ａが前後一対の支持プレート７に形成された円弧状のガイド孔７ａに回り止め状態で摺動可能に嵌合されている。なお、支持プレート７はＬ形に形成され、皿ビス７ｂによって定盤１に固定されている（図５参照）。
ガイド孔７ａは略９０度の範囲にわたって形成されており、その円弧形状は前記定盤１の摺動面の延長面と、鋸刃３の切込方向の面（幅方向中心線）との交線Ｐ（図１及び図４参照）を中心とする曲率半径で設定されている。
【００１１】
従って、ブレードケース５及びそれに取り付けられる丸鋸本体４は、定盤１に対して上記交線Ｐを傾動軸線として、鋸刃３が定盤１に対して直角をなす状態から鋸刃３の切込先端側が定盤１の側方へ変位する定盤１上面側へ傾動可能とされている。すなわち、丸鋸本体４は鋸刃３の切込方向（傾斜角度）が調整できるように傾動可能に取り付けられており、ガイド孔７ａと、該ガイド孔７ａに沿って移動する突起６ａとによって本発明の取付角度調整手段が構成されている。
そして、本実施の形態では鋸刃３の切込方向が定盤１の摺動面に対して直角をなす直角切り状態と、際切りのための最大傾斜角が約４５度の傾斜状態との間で調整可能に設定され、蝶ネジ８によって調整位置に固定できるようになっている。なお、蝶ネジ８は支持プレート７に設けた交線Ｐ、すなわち丸鋸本体４の傾動軸線を中心とする円弧状の逃げ孔７ｃに沿って移動可能とされている。
【００１２】
ブレードケース５の後面側に配置される丸鋸本体４は、ブレードケース５に対して上下動可能に取り付けられている。具体的には、図２及び図３に示すように、電動モータ２のモータハウジング９のヘッド側（出力側）にギヤボックス１０が固着され、そのギヤボックス１０から横方向に延長された延長アーム部１０ａが、ブレードケース５の壁板５ａの下部に枢支ピン１１によって上下方向に回動可能に取り付けられている。なお、その回動操作は電動モータ２のモータハウジング９に一体的に備えられた操作取手１２を用いて行うようになっている。
【００１３】
また、ブレードケース５の壁板５ａには、該壁板５ａを横切ってブレードケース５内に延びる鋸刃３の回転軸１３が上下移動することを可能とするための開口部１４が形成されている。そして、丸鋸本体４は図２に示すように、定盤１の上面とギヤボックス１０の延長アーム部１０ａとの間に介在された圧縮ばね１５によって上向きに付勢され、常には開口部１４の上端縁に当接可能な上端ストッパ１６（図４参照）によって規制される上昇位置（格納位置）に保持され、この位置では鋸刃３がブレードケース５内に格納される（図１参照）。
【００１４】
図４に示すように、回転軸１３の一端はブレードケース５内に延出され、その端部にはインナーフランジ１７と、そのインナーフランジ１７にボルト１９によって締着されるアウターフランジ１８とからなる鋸刃取付具が設けられており、両フランジ１７，１８によって鋸刃３が左右両側から挟着された状態で着脱可能に取り付けられている。なお、両フランジ１７，１８は回転軸１３に対して二面幅による嵌合構造とされ、回転方向には一体化されている。
また、回転軸１３は左右２個の軸受２０、２１を介してギヤボックス１０内に回転可能に支持され、図示左側の軸受２０を受ける軸受ホルダー２２の左面には外輪を押さえる外輪カバー２３が固着されている。そして、外輪カバー２３の上端部を前方へ突出させることによって前記上端ストッパ１６を形成している。
【００１５】
図１及び図４に示すように、電動モータ２は、鋸刃３が直角切り状態にあるとき、その回転軸線、すなわち、出力軸２４の軸線が鋸刃３の回転軸１３の軸線に対してヘッド側（出力側）がボトム側より下側となるように所定の角度（本実施の形態では略３０度）で傾斜状に配置されている。このように電動モータ２は鋸刃３の回転軸線に対して傾斜配置とされることで、鋸刃３の切込方向が定盤１に対して直角をなす直角切り状態にあるときには、ボトム側が上方へ跳ね上げられた姿勢となって定盤１の上面から大きく離れる。
そして、このような配置に対応するために、図４に示すように、回転軸１３には従動用ギヤとしてベベルギヤ２５が半月キー２６を介して固着されており、そのベベルギヤ２５に電動モータ２の出力軸２４の先端に形成した駆動用のピニオンギヤ２７が噛み合っている。
【００１６】
本実施の形態に係る携帯用電動丸鋸は上記のように構成したものである。従って、図１〜図４に示すように、鋸刃３の切込方向が定盤１の摺動面に対して直角姿勢をなす状態においては、定盤１を切断材上に載せたのち、丸鋸本体４を枢支ピン１１を回動支点にして下降側へ操作することによって、図５に示す如く鋸刃３を定盤１の側端部の外側を通って下方へ移動させ、切断材を通常の直角切りで切断することができる。
【００１７】
次に、床の張り替え作業等のために、床材Ｗ１を壁際に沿って切断する際切り作業について説明する。この場合は、蝶ネジ８を緩めて、ブレードケース５及び丸鋸本体４を支持プレート７のガイド孔７ａに沿って傾動することによって、鋸刃３の切込方向を定盤１に対して傾ける。傾斜後は蝶ネジ８を締付けて傾斜姿勢に固定する。この傾斜によって、図６に示すように、電動モータ２の回転軸線が定盤１に対して平行化するとともにモータハウジング９が定盤１に接近し、最大傾斜の４５度のときに最も接近する。
【００１８】
上記のように傾斜された携帯用電動丸鋸を、図７及び図８に示すように、定盤１の側端部に設けた移動ガイド１ａを壁面Ｗ２に当接し、その状態で丸鋸本体４を下降操作すると、鋸刃３はその傾斜方向に下降し床材Ｗ１に切り込まれる。従って、その後は鋸刃３の切込状態を保持するとともに、移動ガイド１ａを壁面Ｗ２に押し付けながら定盤１毎携帯用電動丸鋸全体を壁面Ｗ２に沿って床材Ｗ１の上面を滑らすことによって、壁際に沿った床材Ｗ１の切断作業、すなわち際切りを行うことができる。なお、このときの最大切込深さは、モータハウジング９が定盤１の上面に当接することで規制される。
【００１９】
さて、本実施の形態においては、定盤１の摺動面の延長面と鋸刃３の切込方向の面との交線Ｐを傾動軸線にして丸鋸本体４の傾斜角度を調整できる構成としたので、如何なる傾斜角度であっても鋸刃３の切込先端は必ず上記の傾動軸線上を通過する。すなわち、鋸刃３の切込開始位置は、鋸刃３の傾斜角度の如何に拘らず常に一定位置に保持されることになる。従って、移動ガイド１ａを壁面Ｗ２に当接した状態では、鋸刃３の切込開始位置は常に壁面Ｗ２と床面Ｗ１との交差部位となるため、際切りに際しての携帯用丸鋸の位置決め作業に煩わしさがなく、使い勝手が向上する。
また、図７は床材Ｗ１が厚い場合を示し、図８は床材Ｗ１が薄い場合を示している。床材Ｗ１が厚い場合には、薄い場合と同様に定盤１に対する傾斜角を大きくすると、仮想線で示す如く、鋸刃３の切込先端が床材Ｗ１を貫いて定木Ｗ３に達し、これを傷つける虞がある。このため、床材Ｗ１が厚くなるにつれて傾斜角を小さく調整して際切り作業を行うことで上記のような定木Ｗ３の損傷問題を解消することができる。
【００２０】
また、本実施の形態によれば、鋸刃３の回転軸線に対して、鋸刃３の直角状態で電動モータ２の回転軸線をヘッド側が下向きとなるように傾斜状に設定したことによって、際切りのために鋸刃３をその切込側が定盤１の端部からはみ出る方向に傾斜したときの定盤１に対する電動モータ２の干渉を回避し、所望の際切り作業を行うことができる。
【００２１】
また、定盤１に対して丸鋸本体４の取付角度を調整可能としたことによって、鋸刃３を直角にした姿勢で行う通常の直角切りと、鋸刃３を傾斜した姿勢で行う際切りとを行うことができ、その場合、際切りから直角切り、又は直角切りから際切りへの形態切替のための操作は、蝶ネジ８を緩めて丸鋸本体４をブレードケース５に対して角度を変更するだけであるから、極めて簡単である。
【００２２】
また、実際に切断作業を行っていないときには、鋸刃３をブレードケース５内に格納し、実際に切断作業を行うときに、鋸刃３の一部をブレードケース５から露出させて切断できる。このため、特許公報第２９３３１９６号に記載されているような安全カバーを取り付けなくてもよく、機構の簡素化さらには回転軸の長さを短くすることが可能となってブレードケースの幅を狭くすることができるとともに、切断作業に支障の無い携帯用動力切断機を提供することができる。
【００２３】
なお、上述した実施の形態においては、電動モータ２の回転軸線が鋸刃３の回転軸線に対して傾斜するように電動モータ２をそのヘッド側を下向きに配置することによって、際切りのために鋸刃３を傾斜したときの定盤１に対するモータハウジング９の干渉を回避したが、上記の斜め配置に変えて、例えば図９の模式図に示すような直角配置に変更することも可能である。
図９に示す他の実施の形態においては、電動モータ２はヘッド側を下向きにしてその回転軸線が鋸刃３の回転軸線に対して直交（鋸刃３の切込方向に対して平行）されている。このときは、電動モータ２の出力軸の回転を鋸刃３の回転軸に伝達する手段として４５度の傾きを持つ駆動用と従動用の２つのベベルギヤ３１，３２を用いることが有効である。なお、他の実施の形態に関する上記の直交配置以外の構成については、前述した実施の形態と同様に構成されるものであり、少なくとも図に示される構成部材については同一符号を付してある。
【００２４】
また、本実施の形態では、丸鋸本体４の取付角度の調整手段としてのガイド孔７ａを定盤１側である支持プレート７に設け、そのガイド孔７ａに沿って摺動する突起６ａを丸鋸本体４側に設けたが、その設定部位については、逆にしてもよい。また、移動ガイド１ａは定盤１に一体に形成したが、別体に形成しても差し支えない。
【００２５】
【発明の効果】
以上詳述したように、本発明によれば、鋸刃の傾斜角度の変更に関係なく、鋸刃の切込開始位置を一定位置に保持できるため、際切り作業を効率良く行うことが可能な使い勝手のよい携帯用動力切断機を提供することができる。
【図面の簡単な説明】
【図１】  携帯用電動丸鋸の直角切り状態の側面図である。
【図２】  同じく正面図である。
【図３】  同じく平面図である。
【図４】  同じく縦断面図である。
【図５】  切断作業のために丸鋸を下降した状態の正面図である。
【図６】  際切り時の側断面図である。
【図７】  実際の際切り作業態様を示す断面図であり、薄い床材を切断する場合を示している。
【図８】  実際の際切り作業態様を示す断面図であり、厚い床材を切断する場合を示している。
【図９】  他の実施の形態を説明する模式図である。
【符号の説明】
１…定盤
２…電動モータ
３…鋸刃
４…丸鋸本体
５…ブレードケース
９…モータハウジング
１３…回転軸
２４…出力軸
【図１】
0003698954.tif 000002
【図２】
0003698954.tif 000003
【図３】
0003698954.tif 000004
【図４】
0003698954.tif 000005
【図５】
0003698954.tif 000006
【図６】
0003698954.tif 000007
【図７】
0003698954.tif 000008
【図８】
0003698954.tif 000009
【図９】
0003698954.tif 000010